(57)【要約】【課題】反り変形の発生や発生する反り量を抑えることが可能な建具を提供する。【解決手段】室内外の境界に設けられて開口を形成する枠体と、前記枠体に備えられ、前記開口を閉塞可能な障子と、を備えた建具であって、前記障子は、矩形状に形成された框体と、前記框体の室外側に設けられる外表面材と、前記框体の室内側に設けられる内表面材と、を有し、前記外表面材と前記内表面材とが相対変形可能に設けられ、前記外表面材と前記内表面材との少なくともいずれか一方と、前記框体とが、係合部及び被係合部を介して係合されており、前記係合部と前記被係合部との間には、上下方向に空隙が設けられている。【選択図】図２
2008088667.tif 000002
【特許請求の範囲】
【請求項１】
室内外の境界に設けられて開口を形成する枠体と、
前記枠体に備えられ、前記開口を閉塞可能な障子と、
を備えた建具であって、
前記障子は、矩形状に形成された框体と、
前記框体の室外側に設けられる外表面材と、
前記框体の室内側に設けられる内表面材と、
を有し、
前記外表面材と前記内表面材との少なくともいずれか一方と、前記框体とが、係合部及び被係合部を介して係合されており、前記係合部と前記被係合部との間には、上下方向に空隙が設けられ、前記外表面材と前記内表面材とが相対変形可能に設けられていることを特徴とする建具。
【請求項２】
請求項１に記載の建具であって、
前記係合部は、前記外表面材または前記内表面材のうちの少なくともいずれか一方から前記框体側に向かって突出された突出部であり、
前記被係合部は、前記框体の横框に設けられ、前記突出部が収容される収容凹部であり、
前記収容凹部内に収容された前記突出部と、前記収容凹部との間に前記空隙が形成されていることを特徴とする建具。
【請求項３】
請求項２に記載の建具であって、
前記収容凹部は、収容された前記突出部の上下に前記空隙が形成されるように、前記突出部を前記収容凹部の上下方向における中央に案内するための案内部を有することを特徴とする建具。
【請求項４】
請求項２または請求項３に記載の建具であって、
前記框体の左側及び右側の縦框には、前記縦框の長手方向に沿ってレール部が形成されており、
前記突出部を有する前記外表面材または前記内表面材は、前記レール部に係合される係合フック部を有し、
前記外表面材または前記内表面材は、前記係合フック部と前記レール部との間にて相対変形することを特徴とする建具。
【請求項５】
請求項１乃至請求項４のいずれかに記載の建具であって、
前記外表面材と前記内表面材とは、前記外表面材と前記内表面材との間に断熱部材が介在されていることを特徴とする建具。
【発明の詳細な説明】
【技術分野】
【０００１】
本発明は、室内外の境界に設けられて開口を形成する枠体と、開口を閉塞可能に、枠体に設けられた障子とを有する建具に関する。
【背景技術】
【０００２】
室内外の境界に設けられて開口を形成する枠体と、開口を閉塞可能に、枠体に設けられた障子とを有する建具としては、窓枠と窓枠内に移動可能に設けられた障子とを備えた建具が知られている。このような建具には、結露を防ぐために断熱構造としたものがある。例えば、框材を上下左右に配置して方形状に枠組みした金属製の室外枠及び室内枠の間に断熱材を介在させて断熱構造の障子が形成されている（例えば、特許文献１参照）。断熱構造の障子を有する建具は、室内と室外との温度差が大きくなると、図１０に示すように室内枠２と室外枠３との熱膨張差による反り変形が生じる。室内枠２と室外枠３とに反り変形が生じると、例えば障子１の上端部と下端部だけが枠体に当接されて中央部に隙間が生じたり、障子１の中央部だけが枠体に当接されて上端部と下端部とに隙間が空いたりする。また、反り変形が大きい場合には障子１を閉めることができなくなる畏れがある。このため、戸先框４または戸先框４が当接される枠体にガイド部５を設け、戸先框４が枠体に近づくにつれて、戸先框４がガイド部５によって移動され障子１が閉められるようにしている。
【特許文献１】特開平６−１４６７２７号公報
【発明の開示】
【発明が解決しようとする課題】
【０００３】
上記従来の建具は、反り変形が生じた戸先框をガイド部により、枠体に当接されて障子が閉められる位置まで移動させている。このため、反り変形の発生や発生する反り量を抑える効果はない。このため、反り変形が生じた障子が閉められたとしても、枠体との間に間隙が生じたり、また、障子や枠体に無用な負荷かかる畏れがあるという課題があった。
【０００４】
本発明は、かかる課題に鑑みてなされたものであり、その目的とするところは、反り変形の発生や発生する反り量を抑えることが可能な建具を提供することにある。
【課題を解決するための手段】
【０００５】
かかる目的を達成するために本発明の建具は、室内外の境界に設けられて開口を形成する枠体と、前記枠体に備えられ、前記開口を閉塞可能な障子と、を備えた建具であって、前記障子は、矩形状に形成された框体と、前記框体の室外側に設けられる外表面材と、前記框体の室内側に設けられる内表面材と、を有し、前記外表面材と前記内表面材との少なくともいずれか一方と、前記框体とが、係合部及び被係合部を介して係合されており、前記係合部と前記被係合部との間には、上下方向に空隙が設けられ、前記外表面材と前記内表面材とが相対変形可能に設けられていることを特徴とする建具である。  
このような建具によれば、外表面材と内表面材のうちのいずれか一方と、框体とが係合部及び被係合部を介して相対変形可能に設けられ、かつ、係合部と被係合部との間に、上下方向に空隙が設けられているので、外表面材及び内表面材が相対変形した場合には係合部と被係合部との上下方向に設けられた空隙により相対変形を吸収させることが可能である。このため、外表面材及び内表面材が相対変形した場合であっても、障子に反り変形が生じることや生じる反り変形の量を抑えることが可能である。
【０００６】
かかる建具であって、前記係合部は、前記外表面材または前記内表面材のうちの少なくともいずれか一方から前記框体側に向かって突出された突出部であり、前記被係合部は、前記框体の横框に設けられ、前記突出部が収容される収容凹部であり、前記収容凹部内に収容された前記突出部と、前記収容凹部との間に前記空隙が形成されていることが望ましい。  
このような建具によれば、框体の横框に設けられた収容凹部に、外表面材または内表面材のうちの少なくともいずれか一方から突出された突出部が収容され、突出部と収容凹部との間には空隙が形成されているので、突出部が設けられた外表面材または内表面材を相対変形可能に保持した状態にて外表面材と内表面材との相対変形を吸収させることが可能である。このため、外表面材及び内表面材は互いの変形が規制されず、また、生じた相対変形は空隙にて吸収されるので、障子自体が反り変形することを抑えることが可能である。
【０００７】
かかる建具であって、前記収容凹部は、収容された前記突出部の上下に前記空隙が形成されるように、前記突出部を前記収容凹部の上下方向における中央に案内するための案内部を有することが望ましい。  
このような建具によれば、収容凹部に収容された突出部は案内部により収容凹部の上下方向における中央に案内されるため、突出部を収容凹部に収容させるだけで、収容凹部内にて突出部の上下に空隙を形成することが可能である。このため、外表面材と内表面材との相対変形により、外表面材または内表面材に上下方向において伸張する方向及び収縮する方向のいずれの変形が生じても空隙により吸収させることが可能である。
【０００８】
かかる建具であって、前記框体の左側及び右側の縦框には、前記縦框の長手方向に沿ってレール部が形成されており、前記突出部を有する前記外表面材または前記内表面材は、前記レール部に係合される係合フック部を有し、前記外表面材または前記内表面材は、前記係合フック部と前記レール部との間にて相対変形することが望ましい。  
このような建具によれば、突出部を有して相対変改可能な外表面材または内表面材は、縦框のレール部と係合フックにより係合されているので、相対変形により外表面材または内表面材が縦框から離れることを防止することが可能である。また、外表面材または内表面材は、縦框に設けられたレール部と係合された係合フック部との間にて相対変形するので、外表面材または内表面材を容易に相対変形させて係合部と被係合部とにより、その相対変形を吸収させることが可能である。
【０００９】
かかる建具であって、前記外表面材と前記内表面材とは、前記外表面材と前記内表面材との間に断熱部材が介在されていることを特徴とする。  
このような建具によれば、建具の室内側と室外側とで著しく温度差が生じている場合には、外表面材と内表面材の相対変形が生じるが、外表面材と内表面材との間に断熱部材が介在されている場合には、温度差による相対変形量が大きくなる。このため、外表面材と内表面材との間に断熱部材が介在されている障子は、建具の室内側と室外側との温度差による障子の反り変形が生じやすいので、外表面材と内表面材との相対変形を吸収する機能を備えた建具は、室内側と室外側との温度差が生じやすい場所に用いられる建具として特に適している。
【発明の効果】
【００１０】
本発明によれば、反り変形の発生や発生する反り量を抑えることが可能な建具を提供すことができるという効果がある。
【発明を実施するための最良の形態】
【００１１】
以下、本発明の一実施形態に係る建具について図面を参照して説明する。本実施形態の建具は、室内外の境界に設けられた開口を形成する枠体と、この開口を閉塞可能に枠体に備えられた障子とを備えた建具として、建物の内外の境界に設けられる玄関用の建具を例に挙げて説明する。以下の説明では、建物の内側から見た状態にて上下となる方向を上下方向、及び左右となる方向を左右方向として示す。
【００１２】
本実施形態に係る建具１０は、図１に示すように、躯体に固定され開口を形成する枠体１４と、枠体１４にヒンジ１６を介して設けられ開口を閉塞可能な障子としての玄関ドア２０とを有している。枠体１４は、玄関ドア２０の上下に位置する横枠１４ａと、左右に位置する縦枠１４ｂとを有している。また、図２、図３に示すように、開口を取り囲む枠体１４の各横枠１４ａ及び各縦枠１４ｂには、閉じた状態の玄関ドア２０と対向する部位に、玄関ドア２０と枠体１４との間で押圧されるシール部材１８が全周に亘って設けられている。
【００１３】
玄関ドア２０は、矩形状に形成された框体３０と、框体３０により囲まれる空間内に設けられたパネル状の断熱部材４０と、断熱部材４０及び框体３０の室外側に設けられる外表面材５０と、断熱部材４０及び框体３０の室内側に設けられる内表面材６０と、開閉する際の操作部となるハンドル４４（図１）と、玄関ドアを閉塞状態に保持しハンドルの操作により閉塞状態が解除される保持機構（ラッチ等）６５と、を有している。
【００１４】
そして、玄関ドア２０は、外表面材５０と内表面材６０との伸縮量の相違を吸収する機能を有している。以下の説明では、玄関ドア２０に設けられた、伸縮量の相違を吸収する機能を実現するための構成について説明する。
【００１５】
＜第１実施例＞
第１実施例の玄関ドア２０は、矩形状に形成された框体３０の室内側の面に、金属製の内表面材６０が固定されており、框体３０により囲まれる空間内に断熱部材４０が設けられ、断熱部材４０と外表面材５０及び内表面材６０とは接着されている。
【００１６】
框体３０の上框３２と下框３４とは断面が同一形状のアルミニウム製の押出成形部材である。上框３２は、室内側に位置して内表面材６０が固定される上内壁部３２ａと、室外側にて外表面材５０と対向する上外壁部３２ｂと、上内壁部３２ａと上外壁部３２ｂの上端を見込み方向に繋ぐ上面部３２ｃと、上外壁部３２ｂの見込み方向の内側に外表面材５０に設けられたガイド部材３１のガイド部３１ｂが収容されるガイド収容部３２ｄと、を有している。ここで、ガイド部３１ｂが係合部及び突出部に相当し、ガイド収容部３２ｄが被係合部及び収容凹部に相当する。上面部３２ｃの見込み方向における縁部には見付け方向に沿って、外表面材５０と内表面材６０とが玄関ドア２０の厚さ方向における内側に向けて折り曲げられた上端部が挿入される上端挿入部３２ｅが形成されている。
【００１７】
上内壁部３２ａはほほ平坦に形成され、上外壁部３２ｂには、ガイド収容部３２ｄと連通するスリット３２ｆが、上外壁部３２ｂの上下方向におけるほぼ中央に位置させて、見付け方向の全域に形成されている。このとき、ガイド収容部３２ｄは、上外壁部３２ｂの内側のほぼ全域に設けられた断面が縦長の空間であるため、スリット３２ｆは、ガイド収容部３２ｄの上下方向におけるほぼ中央に位置している。ガイド収容部３２ｄを形成し、上外壁部３２ｂと対向する内壁部３２ｇは、縦長に形成されているガイド収容部３２ｄの上下方向におけるほぼ中央が、最も奥行きが広く、上下に向かってそれぞれ奥行きが狭くなるような傾斜を備えている。
【００１８】
下框３４は、室内側に位置して内表面材６０が固定される下内壁部３４ａと、室外側にて外表面材５０と対向する下外壁部３４ｂと、下内壁部３４ａと下外壁部３４ｂの下端を見込み方向に繋ぐ下面部３４ｃと、下外壁部３４ｂの見込み方向の内側に外表面材５０に設けられたガイド部材３１のガイド部３１ｂが収容されるガイド収容部３４ｄと、を有している。ここで、ガイド部３１ｂが係合部及び突出部に相当し、ガイド収容部３４ｄが被係合部及び収容凹部に相当する。下面部３４ｃの見込み方向における縁部には見付け方向に沿って、外表面材５０と内表面材６０とが玄関ドア２０の厚さ方向における内側に向けて折り曲げられた下端部が挿入される下端挿入部３４ｅが形成されている。
【００１９】
下内壁部３４ａはほほ平坦に形成され、下外壁部３４ｂにも、ガイド収容部３４ｄと連通するスリット３４ｆが、下外壁部３４ｂの上下方向におけるほぼ中央に位置させて、見付け方向の全域に形成されている。下框３４に設けられたスリット３４ｆも、ガイド収容部３４ｄの上下方向におけるほぼ中央に位置し、下外壁部３４ｂと対向する内壁部３４ｇは、ガイド収容部３４ｄの上下方向におけるほぼ中央が、最も奥行きが広く、上下に向かってそれぞれ奥行きが狭くなるような傾斜を備えている。
【００２０】
左右の縦框３５、３６は、ほぼ角パイプ状の部材であり、縦框３５、３６の室外側に向かう室外側面３５ｃ、３６ｃが、框体３０の内側に配置される断熱部材４０より僅かに室内側に位置するように形成されている。
【００２１】
左框３５の左側面３５ａ及び室内側面３５ｂは、平坦に形成されており、室外側面３５ｃには左框３５の左右方向の両端部に室内側に向かって凹設され、上下方向の全域に亘って設けられた溝部３５ｄと、室外側面３５ｃと同一平面上にて溝部３５ｄの幅の約半分を覆うように見付け方向に沿って突出されたレール部としての突片３５ｅがそれぞれ設けられている。また、左框３５の左側面３５ａは、突片３５ｅより室外側に突出されて先端の位置が断熱部材４０の室外側面の位置とほぼ一致している。
【００２２】
右框３６は、左框３５と左右が反転した対称な形状をなし、右側面３６ａ及び室内側面３６ｂは平坦に形成され、室外側面３６ｃには溝部３６ｄとレール部としての突片３６ｅとがそれぞれ設けられている。また、右框３６の右側面３６ａは、突片３６ｅより室外側に突出されて先端の位置が断熱部材４０の室外側面の位置とほぼ一致している。
【００２３】
左框３５及び右框３６は、上框３２と下框３４との間に固定されて矩形状の框体３０を構成している。また、玄関ドア２０の戸先側となる右側の端部には右框３６、上框３２及び下框３４に亘って側部を覆う戸先部材３７がねじで固定され、吊り元側となる左側の端部には左框３５、上框３２及び下框３４に亘って側部を覆う吊り元部材３８がねじで固定されている。吊り元部材３８は、ヒンジ１６を介して枠体１４に取り付けられている。
【００２４】
外表面材５０は、内表面材６０と同様に金属製であり、内表面材６０と対面するように断熱部材４０に接着されている。外表面材５０の断熱部材４０より上部には上框３２側に向かって、また断熱部材４０より下部には下框３４側に向かってガイド部材３１が突設されている。ガイド部材３１は、外表面材５０に固定される台座部３１ａと、上框３２及び下框３４に設けられたガイド収容部３２ｄ、３４ｄに収容されるガイド部３１ｂと、台座部３１ａとガイド部３１ｂとを連結する連結部３１ｃとを有し、外表面材５０の見付け方向の全域に亘って設けられている。ガイド部３１ｂは、外表面材５０に固定された状態で、ガイド収容部３２ｄ、３４ｄとほぼ同じ奥行きを有し、上下方向にはガイド収容部３２ｄ、３４ｄより小さく形成されている。また、連結部３１ｃの上下方向の幅は、上框３２及び下框３４のスリット３２ｆ、３４ｆの上下方向の幅より狭く形成されている。また、ガイド部材３１がガイド収容部３２ｄ、３４ｄに収容された際に、ガイド部３１ｂにおいて内壁部３２ｇ、３４ｇに当接される当接部位３１ｄは、上下方向における中央部が、見込み方向に最も厚く、上下に向かって薄くなるような傾斜が設けられている。
【００２５】
そして、外表面材５０と内表面材６０との伸縮量に相違がない場合には、ガイド収容部３２ｄの内壁部３２ｇに設けられた傾斜と、ガイド部３１ｂの当接部位３１ｄに設けられた傾斜とにより、ガイド収容部３２ｄの上下方向における中央にガイド部３１ｂの上下方向の中央が案内される。このため、外表面材５０と内表面材６０との伸縮量に相違がない場合には、ガイド収容部３２ｄ内にはガイド部３１ｂの上下に空隙が形成され、スリット３２ｆ、３４ｆには連結部３１ｃの上下に空隙が形成される。すなわち、傾斜が形成されている、ガイド収容部３２ｄ、３４ｄの内壁部３２ｇ、３４ｇが案内部に相当する。
【００２６】
外表面材５０の断熱部材４０より左側には左框３５側に向かって、また断熱部材４０より右側には右框３６側に向かって補助部材３９が設けられている。補助部材３９は、外表面材５０に固定される台座板３９ａと、台座板３９ａの左右の縁部に沿って突出されたフック部３９ｂとを有している。フック部３９ｂは、左框３５及び右框３６に設けられた溝部３５ｄ、３６ｄに入り込み、溝部３５ｄ、３６ｄ内に突出された突片３５ｅ、３６ｅに相対変形可能に係合されている。
【００２７】
玄関ドアは、一般に外面側と内面側との間に断熱部材が介在されていと、両者の間に温度差が生じやすく、温度差による伸縮量の相違により反り変形が生じやすい。第１実施例の玄関ドア２０は、外表面材５０が断熱部材４０には接着されているものの、框体３０には固定されていない。このため、例えば、外表面材５０が日射等により高温になり断熱部材４０とともに伸張された場合には、上側に設けられたガイド部３１ｂが上框３２に設けられたガイド収容部３２ｄ内の空隙を上方に移動し、下側に設けられたガイド部３１ｂが下框３４に設けられたガイド収容部３４ｄ内の空隙を下方に移動するとともに、縁切りされている左框３５及び右框３６に設けられた突片３５ｅ、３６ｅとフック部３９ｂとの間で相対変形が生じる。このため、外表面材５０は框体３０による規制を受けることなく相対変形するので、外表面材５０の熱膨張による玄関ドア２０の反り変形を小さく抑えることが可能である。
【００２８】
また、外表面材５０が低温になり断熱部材４０とともに収縮された場合には、上側に設けられたガイド部３１ｂが上框３２に設けられたガイド収容部３２ｄ内の空隙を下方に移動し、下側に設けられたガイド部３１ｂが下框３４に設けられたガイド収容部３４ｄ内の空隙を上方に移動するとともに、縁切りされた左框３５及び右框３６に設けられた突片３５ｅ、３６ｅとをフック部３９ｂとの間で相対変形が生じる。このため、外表面材５０は框体３０による規制を受けることなく相対変形するので、外表面材５０の熱膨張による玄関ドア２０の反り変形を小さく抑えることが可能である。
【００２９】
特に、第１実施例の建具１０によれば、ガイド収容部３２ｄ、３４ｄに収容されたガイド部３１ｂは内壁部３２ｇ、３４ｇによりガイド収容部３２ｄ、３４ｄの上下方向における中央に案内されるため、ガイド部３１ｂをガイド収容部３２ｄ、３４ｄに収容させるだけで、ガイド収容部３２ｄ、３４ｄ内にてガイド部３１ｂの上下に空隙を形成することが可能である。このため、外表面材５０と内表面材６０との相対変形により、外表面材５０に上下方向において伸張する方向及び収縮する方向のいずれの変形が生じても空隙により吸収させることが可能である。
【００３０】
このように、玄関ドア２０の反り変形が抑えられることにより、玄関ドア２０と枠体１４との間に隙間が生じにくく、また、玄関ドア２０を閉塞状態に保持しハンドルの操作により閉塞状態が解除される保持機構６５を滑らかに動作させることが可能である。
【００３１】
第１実施例においては、外表面材５０がガイド部３１ｂとガイド収容部３２ｄ、３４ｄとを介して係合された例について説明したが、内表面材６０がガイド部３１ｂとガイド収容部３２ｄ、３４ｄとを介して相対変形可能に係合されていてもよい。
【００３２】
＜第２実施例＞
第１実施例では、内表面材６０が框体３０に固定され外表面材５０は框体３０に固定されていない例について説明したが、第２実施例では、内表面材６０と外表面材５０とがいずれも框体３０に固定されていない例について説明する。以下の説明において、上記実施例１と同様の部材には同符号を付し説明を省略する。
【００３３】
第２実施例の玄関ドア２０は、図４、図５に示すように、内表面材６０も第１実施例の外表面材５０と同様に構成されている。
【００３４】
框体３０の上框３２の上内壁部３２ａ側と上外壁部３２ｂ側とには、ガイド部材３１が収容されるガイド収容部３２ｄがそれぞれ形成され、上内壁部３２ａと上外壁部３２ｂとにスリット３２ｆが形成されている。また、下框３４の下内壁部３４ａ側と下外壁部３４ｂ側とには、ガイド部材３１が収容されるガイド収容部３４ｄがそれぞれ形成され、下内壁部３４ａと下外壁部３４ｂとにスリット３４ｆが形成されている。
【００３５】
左右の縦框３５、３６は、縦框３５、３６に外表面材５０及び内表面材６０が取り付けられた際に、室外側に向かう室外側面３５ｃ、３６ｃ及び室内側に向かう室内側面３５ｂ、３６ｂが、框体３０の内側に配置される断熱部材４０より僅かに内側に位置するように形成されている。
【００３６】
左框３５の室内側面３５ｂ及び室外側面３５ｃには、上下方向の全域に亘って設けられた溝部３５ｄと、突片３５ｅとがそれぞれ設けられている。右框３６の室内側面３６ｂ及び室外側面３６ｃにも溝部３５ｄと突片３５ｅとがそれぞれ設けられている。
【００３７】
外表面材５０と内表面材６０とは、互いに対面するように断熱部材４０に接着されている。外表面材５０及び内表面材６０の断熱部材４０より上部には上框３２側に向かって、また断熱部材４０より下部には下框３４側に向かってガイド部３１ｂが突設されている。
【００３８】
外表面材５０及び内表面材６０の断熱部材４０より左側には左框３５側に向かって、また断熱部材４０より右側には右框３６側に向かって補助部材３９が設けられている。
【００３９】
第２実施例の玄関ドア２０は、外表面材５０及び内表面材６０が断熱部材４０には接着されているものの、框体３０には固定されていない。このため、建物内外の温度差等により、外表面材５０と内表面材６０との伸縮量に相違が生じても、外表面材５０と内表面材６０にそれぞれ設けられたガイド部３１ｂがガイド収容部３２ｄ、３４ｄ内を移動して、外表面材５０及び内表面材６０の熱膨張及び熱収縮による反りを小さく抑えることが可能である。
【００４０】
このとき、外表面材５０と内表面材６０とはいずれも、ガイド３１ｂとガイド収容部３２ｄ、３４ｄとにより外表面材５０及び内表面材６０の伸縮を吸収するように構成されているので、第１実施例のように外表面材５０のみが伸縮を吸収する場合と比較して、より大きな外表面材５０と内表面材６０との伸縮量の相違に対応させて、玄関ドア２０の反り変形を防止することが可能である。
【００４１】
＜第３実施例＞
第２実施例では、内表面材６０と外表面材５０とがいずれも框体３０に固定されないことにより、内表面材６０及び外表面材５０との伸縮量を内表面材６０側と外表面材５０側とにて吸収する構成としたが、第３実施例は、左框７０と右框７６とをいずれも、重なり合う２本構成とし、内表面材６０と外表面材５０とがいずれも左框７０と右框７６とに固定されつつ、内表面材６０及び外表面材５０との伸縮量を内表面材６０側と外表面材５０側とにて吸収する構成について説明する。
【００４２】
第３実施例の玄関ドア２０は、左框７０と右框７６とが各々２本の部材から構成されている。左框７０及び右框７６は、外表面材５０が取り付けられる外側左框７１及び外側右框７７と、内表面材６０が取り付けられる内側左框７２及び内側右框７８とを有している。
【００４３】
外側左框７１と外側右框７７及び内側左框７２と内側右框７８は、左右が反転された対称形状であるので、ここでは、外側左框７１及び内側左框７２を例に説明し、外側右框７７及び内側右框７８については説明を省略する。
【００４４】
外側左框７１は、外表面材５０が取り付けられる最外壁部７１ａ、最外壁部７１ａと見込み方向に間隔を隔てて対向する内対向壁部７１ｂ、最外壁部７１ａと内対向壁部７１ｂとを左側の端で繋ぐ左側壁部７１ｃとを有している。また、最外壁部７１ａの内側面には樹脂製の外側スライド補助部材７３が固定されており、外側スライド補助部材７３は最外壁部７１ａの内側面から左側壁部７１ｃの内側面に至るように設けられている。
【００４５】
内側左框７２は、内表面材６０が取り付けられる最内壁部７２ａ、最内壁部７２ａと見込み方向に間隔を隔てて対向する外対向壁部７２ｂ、最内壁部７２ａと外対向壁部７２ｂとを右側で繋ぐ右側壁部７２ｃと、最内壁部７２ａとほぼ平行に右側壁部７２ｃから左方向に突出された突部７２ｄと、を有している。また、最内壁部７２ａの内側面側に樹脂製の内側スライド補助部材７４が設けられており、内側スライド補助部材７４は、最内壁部７２ａの内側面から右側壁部７２ｃの内側及び突部７２ｄの室内側面に至るように設けられている。
【００４６】
すなわち、外側左框７１と内側左框７２とは、水平断面がほぼコ字状をなしており、コ字状の開口部側が互いに対向され、外側左框７１の内対向壁部７１ｂが内側左框７２の内側に入り込むように、内側左框７２の外対向壁部７２ｂが外側左框７１の内側に入り込むように組み合わされている。このとき、外側スライド補助部材７３の、最外壁部７１ａの内側面に固定されている部位と、内側左框７２の外対向壁部７２ｂとが見込み方向に僅かな隙間を有して対向し、内側左框７２の外対向壁部７２ｂの先端側と左側壁部７１ｃの内側面に固定されている部位とが見付け方向に僅かな隙間を有して対向するように組み合わされる。また、内側スライド補助部材７４は最内壁部７２ａの内側面に固定されている部位と、外側左框７１の内対向壁部７１ｂとが見込み方向に僅かな間隙を有して対向し、外側左框７１の内対向壁部７１ｂの先端側が内側スライド補助部材７４の最内壁部７２ａの内側面に固定されている部位と突部７２ｄに設けられた部位との間に間隙入り込むように組み合わされる。
【００４７】
上框３２と下框３４とは、図２に示した第１実施例の上框３２と下框３４と同様に構成され、上框３２の上外壁部３２ｂ側と、下框３４の下外壁部３４ｂ側とにガイド部３１ｂが収容されるガイド収容部３２ｄ、３４ｄがそれぞれ形成され、上外壁部３２ｂと下外壁部３４ｂとにスリット３２ｆ、３４ｆが形成されている。
【００４８】
そして、内側左框７２及び内側右框７８と上框３２及び下框３４とは、図７に示すようなＬ字状に形成された連結部材８０を介してねじ止めされている。外側左框７１及び外側右框７７と上框３２及び下框３４とは内表面材６０に固定されている。断熱部材４０に外表面材５０及び内表面材６０が接着されて、外側左框７１、外側右框７７、上框３２、下框３４に内表面材６０が固定され、外表面材５０のガイド部３１ｂが上框３２及び下框３４のガイド収容部３２ｄ、３４ｄに収容された状態であって、外表面材５０と内表面材６０との伸縮量に差が無い場合には、外側左框７１及び外側右框７７と上框３２及び下框３４との間に僅かな間隙（図８）が形成されるように、外側左框７１及び外側右框７７の長さは内側左框７２及び内側右框７８の長さより短く形成されている。
【００４９】
第３実施例の玄関ドア２０は、外表面材５０及び内表面材６０が断熱部材４０には接着されるとともに框体３０にも固定されているので、高い剛性を備えつつ、外表面材５０と内表面材６０とがいずれも伸縮に際して互いに影響しにくいように構成されている。このため、玄関ドア２０の高い剛性を確保しつつ、建物内外の温度差等により生じる外表面材５０と内表面材６０との伸縮量に相違を吸収し、外表面材５０及び内表面材６０の熱膨張及び熱収縮による玄関ドア２０の反り変形を小さく抑えることが可能である。
【００５０】
このとき、外表面材５０と内表面材６０とはいずれも、ガイド部３１ｂとガイド収容部３２ｄ、３４ｄとにより外表面材５０及び内表面材６０の伸縮を吸収するように構成されているので、第１実施例のように外表面材５０のみが伸縮を吸収する場合と比較して、より大きな外表面材５０と内表面材６０との伸縮量の相違に対応させることにより、玄関ドア２０の反り変形を抑えることが可能である。
【００５１】
第３実施例においては、最外壁部７１ａの内側面に外側スライド補助部材７３を、また、最内壁部７２ａの内側面に内側スライド補助部材７４を設けた構成としたので、より断熱性を向上させることが可能であるが、図９に示すように外側スライド補助部材７３及び内側スライド補助部材７４を設けない構成としても、外表面材５０と内表面材６０との伸縮量に相違による玄関ドア２０の反りを抑えることが可能である。
【００５２】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００５３】
【図１】本実施形態に係る建具を示す外観図である。
【図２】第１実施例の建具を示す縦断面図である。
【図３】第１実施例の建具を示す横断面図である。
【図４】第２実施例の建具を示す縦断面図である。
【図５】第２実施例の建具を示す横断面図である。
【図６】第３実施例の建具を示す横断面図である。
【図７】第３実施例の建具における上框と内側左框との接合部を説明するための図である。
【図８】第３実施例の建具における上框と外左框との接合部を説明するための図である。
【図９】第３実施例の変形例を示す横断面図である。
【図１０】従来技術における課題を説明するための図である。
【符号の説明】
【００５４】
１０  建具、１４  枠体、２０  玄関ドア、３０  框体、３１  ガイド部材、
３１ｂ  ガイド部、３２ｄ  ガイド収容部、３２ｇ  内壁部、
３４ｄ  ガイド収容部、３４ｇ内壁部、３５ｅ  突片、３６ｅ  突片、
３９ｂ  フック部、５０  外表面材、６０  内表面材
【図１】
2008088667.tif 000003
【図２】
2008088667.tif 000004
【図３】
2008088667.tif 000005
【図４】
2008088667.tif 000006
【図５】
2008088667.tif 000007
【図６】
2008088667.tif 000008
【図７】
2008088667.tif 000009
【図８】
2008088667.tif 000010
【図９】
2008088667.tif 000011
【図１０】
2008088667.tif 000012